(57)【要約】【課題】モノコック構造のキャビネットであっても背面から機器の設置や配線作業ができる電気機器収納用キャビネットを提供する。【解決手段】モノコック構造の電器電子機器用キャビネットであって、キャビネットの背面開口４０を覆う背面板４を、左右の側面板２、３を連結一体とする主背面板部４１と該主背面板部４１により残された背面開口箇所を複数の副背面板部４２より覆うものとする。【選択図】図３
2010087065.tif 000002
【特許請求の範囲】
【請求項１】
モノコック構造の電気機器収納用キャビネットであって、キャビネットの背面開口を覆う背面板を左右の側面板を連結一体とする主背面板部と該主背面板部により残された背面開口箇所を複数の副背面板部より覆うものとしたことを特徴とする電気機器収納用キャビネット。
【請求項２】
主背面板部により残された背面開口箇所を覆う複数の副背面板部を左右に垂直に分割したものである請求項１に記載の電気機器収納用キャビネット。
【請求項３】
主背面板部により残された背面開口箇所を覆う複数の副背面板部の一枚を他の副背面板部に形成した作業用窓孔を閉塞する嵌め込み式副背面板部に形成した請求項１に記載の電気機器収納用キャビネット。
【発明の詳細な説明】
【技術分野】
【０００１】
本発明は、変圧器、進相コンデンサー、高圧負荷開閉器等を搭載するキュービクル等に使用する電気機器収納用キャビネットに関するものである。
【背景技術】
【０００２】
キュービクルは、搭載する変圧器、進相コンデンサー、高圧負荷開閉器等の大型の機器が多く、これらを収納するキャビネットもフレーム構造を使用した大型のものが採用されている。このような電気機器収納用キャビネットは、各機器の点検を行うために前面扉以外に、背面や側面にも扉を設けた構造とすることが普通である。これにより、側面や背面に設置された機器の点検を容易に行うことができる。また、機器の設置や配線作業時には、背面や側面から作業を容易に行うことができる（例えば、特許文献１参照）。
【０００３】
しかしながら、容量の小さいキュービクルにあっては、搭載される変圧器や進相コンデンサー等が小型であり、比較的小さなキャビネットに納めることが可能である。このような電気機器収納用キャビネットにフレーム構造を採用することは、フレーム構造の分だけ小型化ができなくなる上、製造コストも高くなるという問題がある。
そのため、容量の小さいキュービクルの電気機器収納用キャビネットとしては、フレーム構造を採用せず側板、背面板、底面板、屋根板をそれぞれ接合してキャビネットを形成した、いわるゆるモノコック構造の電気機器収納用キャビネットを採用する場合がある。
【０００４】
しかし、小型のキュービクルは内部に収納した各機器の点検等は全て前面扉から行うことが可能であり、あえて側面や背面に扉を設けておく必要性はない。また、モノコック構造の電気機器収納用キャビネットに扉等を設けるためには別途扉枠を取り付ける必要があり、コストが高くなるという問題がある。このため、小型のキュービクルの背面や側面には扉が設けられることはなく、背面に設置される機器等に配線作業を行う時には作業しづらいという問題点があった。
そこで、モノコック構造のキャビネットであってもキャビネットの背面から機器の設置や配線作業ができるものが待望されていた。
【特許文献１】特開２０００−３３２４４１公報
【発明の開示】
【発明が解決しようとする課題】
【０００５】
本発明は前記のような待望に応えるためになされたもので、モノコック構造のキャビネットであっても背面から機器の設置や配線作業ができる電気機器収納用キャビネットを提供する。
【課題を解決するための手段】
【０００６】
本発明の電気機器収納用キャビネットは、モノコック構造の電気機器用キャビネットであって、キャビネットの背面開口を覆う背面板を左右の側面板を連結一体とする主背面板部と該主背面板部により残された背面開口箇所を複数の副背面板部より覆うものとしたことを特徴とするものを基本の発明とする。
【０００７】
そして、この発明において、主背面板部により残された背面開口箇所を覆う複数の副背面板部を左右に垂直に分割したものとして形成してもよい。また、主背面板部により残された背面開口箇所を覆う複数の副背面板部の一枚を他の副背面板部に形成した作業用窓孔を閉塞する嵌め込み式副背面板部に形成したものとしてもよい。
【発明の効果】
【０００８】
前記した本発明の電気機器収納用キャビネットは、モノコック構造のものであるが、キャビネットの背面開口を覆う背面板を左右の側面板を連結一体とする主背面板部と該主背面板部により残された背面開口箇所を複数の副背面板部より覆うものとしたものであるから、キャビネットの組立工程において、主背面板部により残された背面開口箇所より機器の設置及び配線を行うことが可能であり、特に背面側に位置する機器に配線をする場合の作業性が向上するものである。
また、左右の側面板を主背面板部により連結一体とするので、側板に取り付けられる機器に対しても背面側より配線作業や取付作業を行うことが可能なものである。
そして、機器の設置及び配線を行ったら、主背面板部により残された背面開口箇所を複数の副背面板部より覆って屋根板や扉を取り付ければよいものである。
【０００９】
また、主背面板部により残された背面開口箇所を覆う複数の副背面板部を左右に垂直に分割したものとすれば、変圧器を設置した後に分割した一方の副背板部を取り付けて、該一方の副背板部に開閉器等を取り付け、他方の副背板部を取り付け前の開口から変圧器から開閉器までの配線作業を行うことができるものである。
【００１０】
また、主背面板部により残された背面開口箇所を覆う複数の副背面板部の一枚を他の副背面板部に形成した作業用窓孔を閉塞する嵌め込み式副背面板部に形成したものとすると、キャビネット組立後においても嵌め込み式副背面板部を着脱することによりメンテナンスを行うのに便宜なものである。
【発明を実施するための最良の形態】
【００１１】
次に、本発明の好ましい実施の形態を図に基づいて説明する。
図１から図３は本発明の電気機器収納用キャビネットを示す斜視図である。この電気機器収納用キャビネットは、底面板１、左右の側面板２、３、背面板４、屋根板５及び前面開口を開閉する扉６よりなるもので、フレーム構造を採用しないいわゆるモノコック構造のものである。
【００１２】
なお、扉６は前面開口に扉枠（図示せず）を取り付けてこれに扉６を取り付けたものである。また、底面板１と左右の側面板２、３は接触縁において設けた折曲片同士をボルト、ナット等の締結材により連結し、背面板４も底面板１と左右の側面板２、３との接触縁において設けた折曲片同士をボルト、ナット等の締結材により連結し、また、屋根板５は左右の側面板２、３の上端に形成した折曲片に取付金具により取り付けたものである。
【００１３】
そして、このキャビネットは背面開口４０を覆う前記背面板４を左右の側面板２、３を連結一体とする主背面板部４１と該主背面板部４１により残された背面開口箇所４０１を複数の副背面板部４２より覆うものとしている。
【００１４】
すなわち、前記背面板４は図４〜図７に示すように、左右の側面板２、３を連結一体とする主背面板部４１を背面板４の下方に形成して残された背面開口箇所４０１を覆う背面板４の上方を左右に垂直に分割した複数すなわち２枚の副背面板部４２、４２に形成したものである。
【００１５】
このように構成した背面板４は、キャビネットの組立工程において図３に示すように、キャビネットの背面開口４０を覆う背面板４のうち主背面板部４１により残された背面開口箇所４０１から行うことができるものである。特に変圧器の背面側に配線をする場合の作業性が向上するものである。
また、左右の側面板２、３を主背面板部４１により連結一体とするので、側板に取り付けられる機器に対しても背面側より配線作業や取付作業を行うことが可能なものである。
【００１６】
なお、この図示のキャビネットを使用してキュービクルを組み立てる工程の一例は、先ず底面板１の所定箇所に変圧器を設置する。次に主背面板部４１、左右の側面板２、３を取り付け、さらに扉枠を取り付ける。次に残された背面開口箇所４０１から変圧器の背面側に配線を行う。
続いて、正面側から右の副背面板部４２に予め進相コンデンサー、高圧負荷開閉器を取り付けておき該副背面板部４２を取り付ける。そして、左の副背面板部４２を取り付ける背面開口箇所４０１ａから配線作業を行ったうえ左の副背面板部４２、屋根板５及び扉６を取り付けるものである。
【００１７】
なお、背面板４を構成する主背面板部４１と２枚の副背面板部４２の図４〜図１２に示す実施形態の具体的構成は次のとおりである。
すなわち、前記主背面板部４１は少なくとも左右の側面板２、３側の一方の端部に形成した９０度内向きに連設した折曲片４１ａの先端に機器、配線支持具を取り付ける折返片４１ｂを設けたものとしている。また、該主背面板部４１は上辺を９０度内向きに連設した水平折曲片４１ｃの先端に上向きに立上片４１ｄを連設したものであり、水平折曲片４１ｃに２枚の副背面板部４２、４２の下端を支持するものして、また、該水平折曲片４１ｃと立上片４１ｄにより副背面板部４２により伝ってくる雨水の浸入を防止するものとしている。
【００１８】
また、２枚の副背面板部４２、４２のうち右側の副背面板部４２は、右の側面板３側となる端部側に位置する辺は９０度内向きに連設した折曲片４２ａの先端に機器、配線支持具等を取付孔４２ｂ付きの折返片４２ｃを設け、また、中央側に位置する辺の折曲片４２ａに進相コンデンサーを取り付けるための取付金具（図示せず）を溶接して設けるものとしている。
【００１９】
また、左側の副背面板部４２は、左の側面板２側となる端部側に位置する辺は９０度内向きに連設した折曲片４２ａの先端に機器、配線支持具等を取付孔４２ｂ付きの折返片４２ｃを設け、また、中央側に位置する辺の折曲片４２ａの先端に右側の副背面板部４２に向けた鍔片４２ｄを連設け該鍔片４２ｄに小型機器や配線支持具等を取り付けるための孔部４２ｅを設けている。この折曲片４２ａと鍔片４２ｄにより左右の副背面板部４２、４２間の隙間より浸入する雨水を内部に入り込むことを防止し下方の流れた雨水は前記した水平折曲片４１ｃと立上片４１ｄにより内部に入り込むことの無いものとしている。なお、左右の副背面板部４２、４２には前記水平折曲片４１ｃに支持される折曲片４２ｆが設けてある。
【００２０】
また、図１３に示すように、前記背面板４を左右の側面板２、３を連結一体とすることにより、より安定して左右の側板２、３を支えることができるものである。その後、主背面板部により残された背面開口箇所より機器の設置及び配線を行うことが可能であることは、上述した実施形態と同様である。
【００２１】
また、図１４に示すように背面板４を主背面板部４１により残された背面開口箇所を覆う複数の副背面板部４２、４２の一枚を他の副背面板部４２に形成した作業用窓孔４２ｇを閉塞する嵌め込み式副背面板部４２に形成したものとすると、キャビネット組立後においても嵌め込み式副背面板部４２を着脱することによりメンテナンスを行うのに便宜である。
【図面の簡単な説明】
【００２２】
【図１】本発明の実施形態に係る電気機器収納用キャビネットを示す概略斜視図。
【図２】本発明の実施形態に係る電気機器収納用キャビネットの組立工程を示す概略斜視図。
【図３】本発明の実施形態に係る電気機器収納用キャビネットの組立工程の次工程を示す概略斜視図。
【図４】本発明の実施形態に使用する背面板を内面側から示す斜視図。
【図５】本発明の実施形態に使用する背面板を内面側から示す正面図。
【図６】本発明の実施形態に使用する背面板を外面側から示す斜視図。
【図７】本発明の実施形態に使用する背面板を外面側から示す正面図。
【図８】主背面板部と副背面板部との連結箇所を示す斜視図。
【図９】左右の副背面板部同士との連結箇所を示す断面図。
【図１０】主背面板部と副背面板部との連結箇所を示す断面図。
【図１１】主背面板部と一方の副背面板部と組み合わせた内面側から示す斜視図。
【図１２】主背面板部と一方の副背面板部と組み合わせた外面側から示す斜視図。
【図１３】本発明の実施形態に使用する背面板の他例１を外面側から示す斜視図。
【図１４】本発明の実施形態に使用する背面板の他例２を外面側から示す斜視図。
【符号の説明】
【００２３】
２  側面板
３  側面板
４  背面板
41  主背面板部
42  副背面板部
【図１】
2010087065.tif 000003
【図２】
2010087065.tif 000004
【図３】
2010087065.tif 000005
【図４】
2010087065.tif 000006
【図５】
2010087065.tif 000007
【図６】
2010087065.tif 000008
【図７】
2010087065.tif 000009
【図８】
2010087065.tif 000010
【図９】
2010087065.tif 000011
【図１０】
2010087065.tif 000012
【図１１】
2010087065.tif 000013
【図１２】
2010087065.tif 000014
【図１３】
2010087065.tif 000015
【図１４】
2010087065.tif 000016